(57)【要約】【課題】  架台部の設置コストを低減できる太陽光発電システムを提供する。【解決手段】  一実施形態に係る太陽光発電システムは、太陽電池アレイ群及び防風装置を備える。太陽電池アレイ群は、複数の太陽電池パネルと前記太陽電池パネルを支持固定する架台部とを含む太陽電池アレイを複数備える。防風装置は、前記太陽電池アレイ群の後方に配置され、前記太陽電池アレイ群の後方側から前記太陽電池アレイ群に向かう風の少なくとも一部を前記太陽電池アレイ群の上方に導く曲面を備える。【選択図】図１
2015059415.tif 000002
【特許請求の範囲】
【請求項１】
複数の太陽電池パネルと前記太陽電池パネルを支持固定する架台部とを含む太陽電池アレイを複数備える太陽電池アレイ群と、
前記太陽電池アレイ群の後方に配置され、前記太陽電池アレイ群の後方側から前記太陽電池アレイ群に向かう風の少なくとも一部を前記太陽電池アレイ群の上方に導く曲面を備える防風装置と、
を具備する太陽光発電システム。
【請求項２】
前記防風装置は、前記曲面を有する導風板と、前記導風板の傾斜を変更可能に前記導風板を支持する支持部と、を備える、請求項１に記載の太陽光発電システム。
【請求項３】
前記太陽電池アレイ群の最前方及び最後方に位置する太陽電池アレイ以外の少なくとも１つの太陽電池アレイにおいて、前記少なくとも１つの太陽電池アレイの後方に隣接する太陽電池アレイの両端部それぞれを通り、前記後方に隣接する太陽電池アレイと４５度の角度を成す２つの線分より外側にある領域の少なくとも一部における前記架台部の強度は、前記少なくとも１つの太陽電池アレイの両端部における前記架台部の強度の半分である、請求項１に記載の太陽光発電システム。
【請求項４】
前記防風装置は、メンテナンスツールを収容するための収納部を備える、請求項１に記載の太陽光発電システム。
【発明の詳細な説明】
【技術分野】
【０００１】
本発明の実施形態は、太陽光発電システムに関する。
【背景技術】
【０００２】
近年、環境問題への配慮から、太陽光を利用して発電する太陽光発電システムの導入が世界的に増加し、大規模な太陽光発電システムを備えるメガソーラー発電所が世界各地に建設されている。太陽光発電システムでは、多数の太陽電池パネルが配置され、これらの太陽電池パネルは架台部（架台及び基礎）によって支持固定されている。架台部においては、太陽電池パネルに作用する風圧力などに耐え得る強度が要求される。
【０００３】
一方で、太陽光発電システムの設置コストにおいて架台部の設置コストが占める割合が大きく、特に太陽電池パネルを１万枚以上配置するようなメガソーラーシステムでは、その割合はますます大きくなる。そのため、架台部の設置コストを低減することが求められている。架台部の設置コストの低減は、架台部を軽量化することにより達成されるが、風圧力などに耐え得るよう架台部の健全性を確保しながら架台部を軽量化することは困難とされる。
【先行技術文献】
【特許文献】
【０００４】
【特許文献１】特開２０１０−０１３８１２号公報
【特許文献２】特開２０１０−０１８９５４号公報
【特許文献３】特開２００６−３２２２９７号公報
【発明の概要】
【発明が解決しようとする課題】
【０００５】
太陽光発電システムにおいては、上述したように、架台部の設置コストを低減できることが求められている。
【０００６】
本発明が解決しようとする課題は、架台部の設置コストを低減できる太陽光発電システムを提供することである。
【課題を解決するための手段】
【０００７】
一実施形態に係る太陽光発電システムは、太陽電池アレイ群及び防風装置を備える。太陽電池アレイ群は、複数の太陽電池パネルと前記太陽電池パネルを支持固定する架台部とを含む太陽電池アレイを複数備える。防風装置は、前記太陽電池アレイ群の後方に配置され、前記太陽電池アレイ群の後方側から前記太陽電池アレイ群に向かう風の少なくとも一部を前記太陽電池アレイ群の上方に導く曲面を備える。
【図面の簡単な説明】
【０００８】
【図１】実施形態に係る太陽光発電システムを示す側面図。
【図２】図１の太陽光発電システムを示す上面図。
【図３】（Ａ）、（Ｂ）及び（Ｃ）は図１に示した導風板の形状例を示す側面図。
【図４】図１に示した防風装置によって風の流れが変わる様子を示す模式図。
【図５】第１の比較例に係る太陽光発電システムを示す上面図。
【図６】第２の比較例に係る太陽光発電システムを示す上面図。
【図７】（Ａ）及び（Ｂ）は数値解析に使用する解析モデルを示す図。
【図８】（Ａ）及び（Ｂ）は数値解析により得たれた図５に示した太陽電池アレイ群における風力係数分布を示す図。
【図９】（Ａ）及び（Ｂ）は数値解析により得たれた図６に示した太陽電池アレイ群における風力係数分布を示す図。
【図１０】第１の比較例に係る太陽光発電システムにおいて中央領域の設定例を示す上面図。
【図１１】本実施形態に係る太陽光発電システムにおいて中央領域の設定例を示す上面図。
【図１２】（Ａ）、（Ｂ）及び（Ｃ）は防風装置による防風効果を２次元的に解析した結果を示す図。
【図１３】本実施形態に係る太陽光発電システムを建築物上に配置する例を示す側面図。
【図１４】（Ａ）、（Ｂ）及び（Ｃ）はそれぞれ図３（Ａ）、（Ｂ）及び（Ｃ）に示した防風装置の支持部が傾斜機構を備える例を示す側面図。
【発明を実施するための形態】
【０００９】
太陽光発電システムに関して、ＪＩＳ（Japanese Industrial Standards） Ｃ８９５５では、太陽電池アレイ自身の質量による固定荷重、風圧力による風圧荷重、太陽電池パネル表面に積もった雪による積雪荷重、地震力による地震荷重の４種類の荷重を想定した上で、太陽電池パネルを設計することが定められている。これらの荷重の組み合わせは設置環境により異なるが、風圧荷重は、多くの太陽光発電所で考慮しなければならない荷重であり、風速から太陽電池アレイに加わる風圧荷重を算出する近似式を適用することになっている。この規格を適用する際、「架台が複数の場合は、周囲端部は算出式による風力係数を適用し、中央部はその値の１／２を使用してもよい」とされている。しかしながら、中央部についての明確な定義はされていない。このため、太陽光発電システムの設計時には、安全性を確保するために、周囲端部での風力係数を１／２倍した値を使用する領域（中心部）を適切に見積もることが重要である。
【００１０】
以下、必要に応じて図面を参照しながら、実施形態を説明する。なお、以下の実施形態では、同一の番号を付した部分については同様の動作を行うものとして、重ねての説明を省略する。
【００１１】
図１は、一実施形態に係る太陽光発電システム１００を概略的に示す側面図であり、図２は、太陽光発電システム１００を概略的に示す上面図である。太陽光発電システム１００は、図１に示すように、複数の太陽電池アレイ１１１を含む太陽電池アレイ群１１０と、太陽電池アレイ群１１０の後方に配置される防風装置１２０と、を備える。図２に示される例では、６つの太陽電池アレイ１１１−１〜１１１−６が並列に配置されている。図１において、太陽電池アレイ１１１−４〜１１１−６は省略されている。
【００１２】
各太陽電池アレイ１１１は、太陽光を受光して電力を生成する複数の太陽電池パネル１１２と、太陽電池パネル１１２を支持固定する架台部１１３と、を備える。架台部１１３は、水平面から所定の角度だけ傾斜した状態で太陽電池パネル１１２を支持する架台１１４と、架台１１４を地面Ｇに固定するコンクリート製の基礎１１５と、を備える。図２において、矩形ブロックの各々が１つの太陽電池パネル１１２を示す。図２の例では、各太陽電池アレイ１１１において、導電性の接続部材で接続された２０枚の太陽電池パネル１１２が並べて配置されている。
【００１３】
太陽電池パネル１１２は、発電効率の観点から、一般に、傾斜して設置される。例えば、日本などの北半球の高緯度地域では、太陽電池パネル１１２は、その受光面１１６が南を向くように傾斜して設置される。水平面と受光面１１６とが成す角度Φは、設置場所の緯度及び環境などの様々な条件を考慮して決定される。
【００１４】
本実施形態では、太陽電池パネル１１２が南向きに配置される場合を想定する。この場合、６つの太陽電池アレイ１１１−１〜１１１−６が南北方向に並置され、太陽電池アレイ１１１−１〜１１１−６の各々では、太陽電池パネル１１２が東西方向に配列される。防風装置１２０は太陽電池アレイ群１１０の北側に配置される。具体的には、防風装置１２０は、最北側の太陽電池アレイ１１１−１の太陽電池パネル１１２の背面１１７に対向して配置される。
【００１５】
防風装置１２０は、太陽電池アレイ群１１０の後方側から太陽電池アレイ群１１０に向かう風の少なくとも一部を太陽電池アレイ群１１０の上方に導く導風板１２１と、水平面から所定の角度だけ傾斜した状態で導風板１２１を支持する支持部１２２と、を備える。太陽電池アレイ群１１０の後方側は、太陽電池パネル１１２の背面１１７に対向する側を指す。太陽電池パネル１１２が南向きに配置される本実施形態では、太陽電池アレイ群１１０の後方側から太陽電池アレイ群１１０に向かう風は、例えば、北風、北東の風、北西の風などのように、北から南に向かう成分を含む風を指す。図１の例では、導風板１２１は、上端１２４が太陽電池パネル１１２の上端１１８より高い位置にあり、下端１２５が地面Ｇに接するように、設置されている。
【００１６】
導風板１２１は、図３（Ａ）に示すように平面形状（平板状）に形成されていてもよく、図３（Ｂ）に示すように太陽電池アレイ群１１０側と逆の方向に凸になった湾曲した形状に形成されていてもよく、図３（Ｃ）に示すように太陽電池アレイ群１１０側に凸になった湾曲した形状に形成されていてもよい。さらに、導風板１２１は、１つの部材で形成されていてもよく、複数の部材で形成されてもよい。なお、防風装置１２０は、図１に示される導風板１２１のような板状部材を備える例に限定されない。防風装置１２０は、太陽電池アレイ群１１０の後方側から太陽電池アレイ群１１０に向かう風の少なくとも一部を太陽電池アレイ群１１０の上方に導くように空気の流れを変える表面（例えば平面又は曲面）を有するいかなる構造物により実施されてもよい。
【００１７】
防風装置１２０は、最北側の太陽電池アレイ１１１−１の背後に（すなわち、北側に）設置される。図１に示すように、防風装置１２０と最北側の太陽電池アレイ１１１−１との距離Ｌｗは、例えば、０メートルから３メートルの範囲に設定される。防風装置１２０の高さＨｗは、例えば、３メートル以内の範囲に設定される。水平面と導風板１２１とが成す角度θは、例えば、４５度から６０度の範囲に設定される。導風板１２１が湾曲した形状に形成されている場合には、角度θは、導風板１２１の上端１２４と下端１２５とを結ぶ線と水平面とが成す角度を指す。このような配置により、防風装置１２０の影が太陽電池パネル１１２にかかることはなく、日射量の減少による発電の低下が発生することはない。
【００１８】
図４は、北風が吹く場合において、防風装置１２０によって風の流れが変わる様子を模式的に示している。防風装置１２０が設けられない場合には、北風の一部は、太陽電池パネル１１２の背面１１７に向かう。この風は、太陽電池パネル１１２の背面１１７に直接衝突し、それにより、太陽電池パネル１１２に大きな風圧力（風荷重）が作用する。一般に、太陽電池パネル１１２を傾斜して設置した場合、太陽電池アレイ群１１０の後方側から前方側に向かう風は、太陽電池アレイ群１１０の前方側から後方側に向かう風よりも太陽電池パネル１１２に大きな風圧力を作用させる。このことから、架台１１４及び基礎１１５の設計では、後方側から太陽電池アレイ群１１０に向かう風の影響を考慮して、架台１１４及び基礎１１５の強度が決定される。
【００１９】
一方、防風装置１２０を備える本実施形態では、図４の矢印で示されるように、風は、防風装置１２０の導風板１２１に沿って進み、斜め上方に押し上げられ、太陽電池アレイ群１１０の上方を通過する。すなわち、防風装置１２０は、後方側から太陽電池アレイ群１１０に向かう風の少なくとも一部が太陽電池パネル１１２の背面１１７に直接当たることを防止する。それにより、太陽電池パネル１１２に直接当たる風が軽減され、太陽電池パネル１１２に作用する風圧力が低減する。太陽電池パネル１１２に作用する風圧力が低減すると、風圧力に対する架台１１４及び基礎１１５の強度を確保することが容易となるので、架台１１４及び基礎１１５を軽量化することができる。その結果、低コスト化を実現することができる。高い防風効果を得るためには、図１に示すように、導風板１２１の上端１２４が太陽電池パネル１１２の上端１１８より高いことが望ましい。また、図２に示すように、導風板１２１の幅Ｗｗが太陽電池アレイ１１１の幅Ｗｐより大きいことが望ましい。本実施形態では、幅の方向は東西方向に対応する。
【００２０】
図５は、第１の比較例に係る太陽光発電システム５００を概略的に示し、図６は、第２の比較例に係る太陽光発電システム６００を概略的に示している。図５及び図６に示した太陽光発電システム５００及び６００は、図１に示した太陽光発電システム１００とは異なり、防風装置を備えていない。太陽光発電システム５００の太陽電池アレイ群５１０では、６列の太陽電池アレイ５１１それぞれが１０枚の太陽電池パネル１１２を含む。図６に示した太陽光発電システム６００の太陽電池アレイ群６１０では、５列の太陽電池アレイ６１１を含み、太陽電池アレイ６１１ごとに太陽電池パネル１１２の数が異なっている。最北に位置する１列目の太陽電池アレイ６１１−１が３つの太陽電池パネル１１２を備え、太陽電池アレイ６１１−１に南側に隣接する２列目の太陽電池アレイ６１１−２が５つの太陽電池パネル１１２を備えるというように、列番号が大きくなる（すなわち、南側に位置する）に従い太陽電池パネル１１２が２つずつ多くなっている。この場合、５列目の太陽電池アレイ６１１−５は１１枚の太陽電池パネル１１２を備える。
【００２１】
発明者らは太陽光発電システム５００及び６００それぞれの太陽電池アレイ群５１０及び６１０における風力係数分布を数値解析によって得ている。数値解析に使用した解析モデルについて説明する。数値解析では、太陽電池パネル１１２以外の部分（例えば架台及び基礎）は風の流れに与える影響が少ないので考慮していない。太陽光発電システム５００に関しては、図７（Ａ）に示すように、太陽電池パネル１１２の幅Ｗを１５００ｍｍ、奥行きＤを３０００ｍｍ、厚さＴを１００ｍｍとする。さらに、図７（Ｂ）に示すように、太陽電池パネル１１２の高さＨを５００ｍｍとし、角度Φを３０度とする。図５に示すように、太陽電池アレイ６１１間の距離Ｌを３０００ｍｍとする。さらに、太陽電池パネル１１２を南向きに配置し、風向を北から南に向かう方向（図５の矢印Ａで示される方向）及び北東から南西に向かう方向（図５の矢印Ｂで示される方向）とし、風速を３０ｍ／ｓとする。
【００２２】
太陽光発電システム６００に関しては、太陽電池パネル１１２の幅Ｗを１５００ｍｍ、奥行きＤを２９４５ｍｍ、厚さＴを１００ｍｍとする。さらに、太陽電池パネル１１２の高さＨを７３０ｍｍとし、角度Φを１０度とする。図６に示すように、太陽電池アレイ６１１間の距離Ｌを１７００ｍｍとする。さらに、太陽電池パネル１１２を南向きに配置し、風向を北から南に向かう方向（図６の矢印Ｃで示される方向）及び北東から南西に向かう方向（図６の矢印Ｄで示される方向）とし、風速を３０ｍ／ｓとする。
【００２３】
風力係数Ｃは、下記数式（１）で定義される。数式（１）では、風力係数Ｃに関し、太陽電池パネル１１２の背面１１７から受光面１１６に向かう方向を正としている。風力係数Ｃは、その絶対値が大きいほど、太陽電池パネル１１２に作用する風圧力が大きいことを表す。
【数１】
2015059415.tif 000003
【００２４】
ここで、Ｐｌは太陽電池パネル１１２の背面１１７に作用する風圧力を表し、Ｐｕは太陽電池パネル１１２の受光面１１６に作用する風圧力を表す。また、ρ及びＵは流体（空気）の密度及び流速をそれぞれ表す。さらに、Ａは太陽電池パネル１１２の受光面１１６又は背面１１７の面積を表す。
【００２５】
図８（Ａ）は、風向が図５の矢印Ａで示される方向であるとした場合（すなわち、北風を想定した場合）において数値解析により得られた太陽電池アレイ群５１０における風力係数分布を示し、図８（Ｂ）は、風向が図５の矢印Ｂで示される方向であるとした場合（すなわち、北東の風を想定した場合）において数値解析により得られた太陽電池アレイ群５１０における風力係数分布を示している。図９（Ａ）は、風向が図６の矢印Ｃで示される方向であるとした場合（すなわち、北風を想定した場合）において数値解析により得られた太陽電池アレイ群６１０における風力係数分布を示し、図９（Ｂ）は、風向が図６の矢印Ｄで示される方向であるとした場合（すなわち、北東の風を想定した場合）において数値解析により得られた太陽電池アレイ群６１０における風力係数分布を示している。図８（Ａ）及び（Ｂ）並びに図９（Ａ）及び（Ｂ）において、濃色ほど風力係数の値が大きく、淡色ほど風力係数の値が小さいことを示す。
【００２６】
図８（Ａ）及び（Ｂ）では、風向Ａ及び風向Ｂのいずれにおいても、風上側の太陽電池パネル１１２ほど風力係数が大きい傾向がある。より具体的には、図８（Ａ）では、１段目の太陽電池アレイ５１１−１で風力係数が最も大きく、２段目の太陽電池アレイ５１１−２で風力係数が最も小さくなり、風下側の太陽電池アレイ５１１ほど風力係数が大きくなる傾向がある。風上側の１段目の太陽電池アレイ５１１−１では、中央部に位置する３列目から８列目の太陽電池パネル１１２に比べて端部に位置する１列目、２列目、９列目、１０列目の太陽電池パネル１１２で風力係数が小さく、２段目から６段目の太陽電池アレイ５１１−２〜５１１−６では、中央部に位置する２列目から９列目の太陽電池パネル１１２に比べて端部に位置する１列目、１０列目の太陽電池パネル１１２で風力係数が大きくなっている。図９（Ａ）及び（Ｂ）では、風向Ｃ及び風向Ｄのいずれにおいても、風上側の太陽電池パネル１１２ほど風力係数が大きい傾向がある。より具体的には、図９（Ａ）では、１段目の太陽電池アレイ６１１−１で風力係数が最大となり、風下側の太陽電池アレイ６１１ほど風力係数が小さくなる傾向がある。
【００２７】
このように、太陽電池アレイ群５１０と太陽電池アレイ群６１０とでは傾向が異なっている。太陽電池アレイ群５１０では、北風の場合、太陽電池アレイ１１１の両端部及び中央部において渦が巻く。また、太陽電池アレイ群５１０では、北東からの風は、各太陽電池アレイ５１１の東端の（１０列目の）太陽電池パネル１１２に衝突し、その後乱れながら太陽電池アレイ５１１間に流入する。一方、太陽電池アレイ群６１０では、北東の風のような斜めからの風は、中央部まで流入しやすくなる。このような風の流れの違いに応じて上述したような傾向の違いが現れると考えられる。
【００２８】
図１０は、太陽光発電システム６００において、風圧荷重を算出する際に周囲端部での風力係数を１／２倍した値を使用するという条件を適用する領域（中央部）１００１の設定例を示している。この領域を中央領域と称する。図１０の例では、中央領域１００１は、２段目から５段目の太陽電池アレイ１１１の各々において、後段の（北側に隣接する）太陽電池アレイ１１１の両端部それぞれを通り、この太陽電池アレイ１１１と４５度の角度を成す２つの線分の間に位置する領域に限られる。中央領域１００１では、架台部の強度は、例えば、周囲端部における架台の強度の半分にすることができる。
【００２９】
図１１は、本実施形態に係る太陽光発電システム１００において、中央領域１１０１の設定例を示している。防風装置１２０が設けられる本実施形態では、図１１に示すように、中央領域１１０１は、太陽電池アレイ群１１０の周囲端部を除いた領域に設定することができる。本実施形態では、防風装置１２０を設けることにより、風が太陽電池アレイ群１１０の周囲端部の太陽電池パネル１１２に直接当たることが防止され、太陽電池パネル１１２に作用する風圧力が低減されるので、中央領域をより広く設定することができる。具体的には、太陽電池アレイ群１１０の最前方及び最後方に位置する太陽電池アレイ１１１（具体的には、太陽電池アレイ１１１−１及び１１１−６）以外の太陽電池アレイ１１１−２〜１１１−５において、中央領域１１０１をより広く設定することができる。例えば、太陽電池アレイ１１１−２において、太陽電池アレイ１１１−２の後方に隣接する太陽電池アレイ１１１−１の両端部それぞれを通り、太陽電池アレイ１１１−１と４５度の角度を成す２つの線分より外側にあり、両端部１１０３を除いた領域１１０２の少なくとも一部における架台部１１３の強度は、太陽電池アレイ１１１−２の両端部１１０３における前記架台部１１３の強度の半分に設定することができる。このため、架台１１４及び基礎１１５の設置コストを低減することができる。
【００３０】
図１２（Ａ）、（Ｂ）及び（Ｃ）は、防風装置１２０による防風効果が得られる距離を２次元的に解析した結果を示している。図１２（Ａ）は、導風板１２１が図３（Ａ）に示すような平面形状に形成されている場合に対応し、図１２（Ｂ）及び（Ｃ）は、導風板１２１が図３（Ｃ）に示すような湾曲形状に形成されている場合に対応する。図１２（Ｂ）と図１２（Ｃ）では、防風装置１２０を模した曲線の曲率が異なる。図１２（Ａ）、（Ｂ）及び（Ｃ）において、線の色が濃いほど風速が大きく、淡いほど風速が小さいことを示す。図１２（Ａ）、（Ｂ）及び（Ｃ）からは、湾曲した導風板１２１のほうが平坦な導風板１２１よりも防風効果が得られる距離が長いことがわかる。
【００３１】
以上のように、本実施形態に係る太陽光発電システムでは、太陽電池アレイ群の後方に防風装置を設けることにより、太陽電池パネルの背面に作用する風圧力を低減することができる。それにより、安全性を確保するとともに、架台１１４及び基礎１１５を軽量化することが可能になる。その結果、架台１１４及び基礎１１５の設置コストを低減することができる。
【００３２】
なお、防風装置１２０の支持部１２２は、導風板１２１の傾斜を制御する傾斜機構を備えていてもよい。図１３（Ａ）、（Ｂ）及び（Ｃ）は、導風板１２１が図３（Ａ）、（Ｂ）及び（Ｃ）に示す形状を有する場合において、傾斜機構１３０１によって、角度θが小さくなるように導風板１２１が傾斜された状態を示す。本実施形態では、太陽電池パネル１１２を南向けに配置し、防風装置１２０を太陽電池アレイ群１１０の北側に配置している。この場合、南風が強く吹くときには、防風装置１２０の導風板１２１は大きな風圧力を受けることがある。南風が強く吹く場合に、傾斜機構１３０１を用いて導風板１２１の角度θを小さくすることにより、導風板１２１に作用する風圧力を低減することができる。さらに、防風装置は、太陽光発電システム１００のメンテナンスに用いるメンテナンスツールを収容するための収納部を備えていてもよい。
【００３３】
また、太陽光発電システム１００は、地上に設置される例に限定されない。例えば、太陽光発電システム１００は、図１４に示すように、建築物１４００の陸屋根１４０１上に設置されてもよい。この場合にも、太陽電池アレイ群１１０の後方から吹く風は、図１４の矢印で示すように、防風装置１２０によって向きを変えられ、太陽電池アレイ群１１０の上方を通過する。それにより、風が太陽電池パネル１１２の背面１１７に直接当たることを防ぐことができ、太陽電池パネル１１２が受ける風圧力を軽減することができる。その結果、安全性を確保するとともに、架台１１４及び基礎１１５を軽量化することができる。
【００３４】
さらに、太陽電池アレイ群１１０の配置は、図１に示される配置の例に限定されない。例えば、太陽電池アレイ群１１０は、図６に示される太陽電池アレイ群６１０のように、太陽電池アレイ１１１ごとに幅が異なっていてもよい。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１００…太陽光発電システム、１１０…太陽電池アレイ群、１１１…太陽電池アレイ、１１２…太陽電池パネル、１１３…架台部、１１４…架台、１１５…基礎、１１６…受光面、１１７…背面、１２０…防風装置、１２１…導風板、１２２…架台、１２３…基礎。
【図１】
2015059415.tif 000004
【図２】
2015059415.tif 000005
【図３】
2015059415.tif 000006
【図４】
2015059415.tif 000007
【図５】
2015059415.tif 000008
【図６】
2015059415.tif 000009
【図７】
2015059415.tif 000010
【図８】
2015059415.tif 000011
【図９】
2015059415.tif 000012
【図１０】
2015059415.tif 000013
【図１１】
2015059415.tif 000014
【図１２】
2015059415.tif 000015
【図１３】
2015059415.tif 000016
【図１４】
2015059415.tif 000017